(57)【特許請求の範囲】
【請求項１】
ファンケーシング内でファンが回転することによって排気流を形成するダクト用の換気扇であって、
下面が開口した箱型であり、下面以外の面に設けられた排気口と、内側面に設けられた被係合部とを有する筐体と、
前記筐体に設置される前記ファンと、
前記排気流を前記排気口へ導く風路と、外側面に設けられた係合部と、化粧グリルを吊り下げて固定する化粧グリル固定部とを有し、前記開口から前記筐体内部へ挿入されて前記ファンの周囲に設置される前記ファンケーシングと、
を備え、
前記係合部は、前記ファンケーシングの外側面から突出して下方向へ延在し、前記ファンケーシングの外側面と間隔を空け配置される板バネ部と、該板バネ部の外側面から外側に突出し、前記ファンケーシングの前記筐体への挿入方向の後側ほど厚肉である爪とを備えており、
前記被係合部は、前記爪が嵌合するように前記筐体の内側面に形成された孔であり、
前記ファンケーシングは、前記係合部と前記被係合部との係合によって前記筐体に仮固定され、
前記係合部と前記被係合部とが係合した状態において、前記化粧グリル固定部に前記化粧グリルが吊り下げられると、前記係合部に前記被係合部側へ押し込む力が付加されることを特徴とする換気扇。
【請求項２】
前記係合部は、前記板バネ部の外側面の先端部に、下側ほど薄肉となるように傾斜部が設けられたことを特徴とする請求項１記載の換気扇。
【請求項３】
前記傾斜部は、前記板バネ部の幅方向の中央部に設けられていることを特徴とする請求項２に記載の換気扇。
【請求項４】
前記係合部が、前記風路とは異なる面に設けられたことを特徴とする請求項１から３のいずれか１項記載の換気扇。
【請求項５】
前記係合部を、前記ファンケーシングの一側面に有することを特徴とする請求項１から４のいずれか１項記載の換気扇。
【発明の詳細な説明】
【技術分野】
【０００１】
本発明は、ダクト用の換気扇に関する。
【背景技術】
【０００２】
天井裏に設置するダクト用換気扇のファンケーシングは、下側からボディ内に挿入されてボディ天面にねじ止めにて固定される。しかし、この取り付け方法では排気口がボディ側面に近い場合にはねじ止め分のスペースを要すため排気口が狭くなり、製品の基本性能である送風性能や騒音を悪化させることになるという問題がある。
【０００３】
組立性の改善については、特許文献１のように本体ケースに凸部を設け、その凸部を利用してケーシングを位置決めし、組立性を向上させたものが知られているが、ねじの代替となる構造体はとっていないため、ねじ本数削減とそれに伴うねじ締めによる加工コストを抑制するにいたっていない。
【先行技術文献】
【特許文献】
【０００４】
【特許文献１】特開２００４−３４０５５６号公報
【発明の概要】
【発明が解決しようとする課題】
【０００５】
上記ダクト用換気扇を組み立てる際は、一般的には、ボディ天面にファンケーシングをねじ止めする。このようなファンケーシングの取り付けでは、排気口近傍をねじ止めする際ねじ止めのスペースを確保する必要があるために排気口を小さくせざるをえなかったり、ファンケーシングの風路部にねじ止め構造を要す必要があるため空気がスムーズに流れるのを阻害し製品の基本性能である送風性能や騒音を悪化させるといった問題がある。
【０００６】
本発明は、上記に鑑みてなされたものであって、ねじを用いることなくファンケーシングと筐体とを位置決めし、仮固定できる換気扇を得ることを目的とする。
【課題を解決するための手段】
【０００７】
上述した課題を解決し、目的を達成するために、本発明は、ファンケーシング内でファンが回転することによって排気流を形成するダクト用の換気扇であって、下面が開口した箱型であり、下面以外の面に設けられた排気口と、内側面に設けられた被係合部とを有する筐体と、筐体に設置されるファンと、気流を排気口へ導く風路と、外側面に設けられた係合部とを有し、開口から筐体内部へ挿入されてファンの周囲に設置されるファンケーシングと、を備え、ファンケーシングを係合部と被係合部との係合によって筐体に仮固定することを特徴とする。
【発明の効果】
【０００８】
本発明によれば、筐体下面の開口からファンケーシングを挿入するだけでファンケーシングの係合部と筐体の被係合部とを係合させて仮固定できることによりねじ本数を削減でき、かつファンケーシングを筐体に挿入する際に特別な位置合わせは不要であり、組立性が向上するという効果を奏する。
【図面の簡単な説明】
【０００９】
【図１】図１は、換気扇の設置状態での断面図である。
【図２】図２は、ファンケーシング組立時の挿入方向を示す斜視図である。
【図３】図３は、係止め部の拡大図である。
【図４】図４は、係止め部をボディ外側から見た図である。
【図５】図５は、化粧グリルを取り付けた場合の力のかかり方を示す図である。
【図６】図６は、ファンケーシングの取り外し方を示す図である。
【発明を実施するための形態】
【００１０】
以下に、本発明にかかる換気扇の実施の形態を図面に基づいて詳細に説明する。なお、この実施の形態によりこの発明が限定されるものではない。
【００１１】
実施の形態１．
図１〜図６は、本発明にかかる換気扇の実施の形態１の構成を示す図である。図１は、換気扇の設置状態での断面図である。図２は、ファンケーシング組立時の挿入方向を示す斜視図である。図３は、係止め部の拡大図である。図４は、係止め部をボディ外側から見た図である。図５は、化粧グリルを取り付けた場合の力のかかり方を示す図である。図６は、ファンケーシングの取り外し方を示す図である。
【００１２】
換気扇１００は、換気する空気を流通させる換気駆動体としての多翼式送風機１５と、多翼式送風機１５を収納するファンケーシング２２とを有している。多翼式送風機１５は、モータ１６と、モータ１６の駆動軸に差込結合されたファン１７とを含んでいる。換気扇１００はボディ（筐体）２１と、ボディ２１の側面に設けられたダクト接続枠２３とを有する。ダクト接続枠２３は、ボディ２１の側面と直角方向に延び、吐出口１２をダクト１３に連通する位置まで延長する。換気扇１００は、ファンケーシング２２などの内部部品が見えないようにするための意匠部品である化粧グリル３１を備える。化粧グリル３１は、本体取付用ばね３２を備えており、ファンケーシング２２に設けられている化粧グリル本体取付用ばね固定部２６に本体取付用ばね３２を引っかけることにより固定される。
【００１３】
ダクト接続枠２３の外形は、配管するダクトの径が異なっても対応できることや、テーピングなどの作業性を考慮して、径の異なる段状に形成されている。ダクト接続枠２３内には、風圧にて開閉するシャッター２４が設けられている。シャッター２４は換気扇１００の運転時には風圧で開き、停止時には自重でダクト接続枠２３を閉鎖する。シャッター２４を設けられていることにより、換気扇１００の停止時に屋外からの外風が室内に浸入することが防止されている。なお、図１に示す構成においては、シャッター２４は回動軸が斜めに傾いた状態でダクト接続枠２３内に設置されている。
【００１４】
ダクト１３は、屋外まで延びて建物の屋外外壁に設けられたフードなどと連結され、住宅内の空気を換気する換気風路を形成している。
【００１５】
ボディ２１は、一面（下面）が開口した箱型で、開口とは逆の面（天面側）にモータ１６を備えている。ボディ２１の側面一方には排気口２１ｂを備えており、排気口２１ｂにはダクト接続枠２３が接続される。ファンケーシング２２は、主に多翼式送風機１５を収納するとともに下面が開放されて吸込口１１が形成されている。ファンケーシング２２により、吸込口１１から吸われた空気は、多翼式送風機１５によってファンケーシング２２の内壁に沿って排気口２１ｂに至る排気風路を形成している。
【００１６】
ファンケーシング２２は、風路を形成する壁とは別に外側に係止め部２２ａを備えている。係止め部２２ａは、ボディ２１の内側面にある孔部２１ａに引っかけることが可能な爪２２ｂを備えており、ファンケーシング２２をボディ２１の開口面から挿入するだけでボディ２１との仮固定が可能である。爪２２ｂは、挿入方向の後側ほど厚肉になるように傾斜しており、ファンケーシング２２をボディ２１の開口に容易に挿入でき、かつ孔部２１ａから抜けにくい形状になっている。
【００１７】
さらに係止め部２２ａには、図６に示すように開口面側にケーシングを取り外す際に必要となるファンケーシング取り外し用の傾斜部２２ｃを備えており、傾斜部２２ｃにマイナスドライバなどの工具を沿わせて奥まで差し込むことによって係止め部２２ａの爪２２ｂが弾性変形してボディ内側面の孔部２１ａから外れるため、簡単に取り外しが可能である。
【００１８】
上記の係止め部２２ａを備えたファンケーシング２２をボディ２１に挿入すると、ボディ２１に設けられた孔部２１ａとファンケーシング２２に設けられた係止め部２２ａとの嵌合によってボディ２１とファンケーシング２２との位置が決まるため、ねじ止めなどの組み付け作業も容易となる。例えば、上記の係止め部２２ａ及び孔部２１ａによる係止め構造で位置決めした上で、さらにボディ２１とファンケーシング２２とを少なくとも１カ所でねじ止め固定することで、ボディ２１とファンケーシング２２とをより確実に固定できる。一例として、ボディ２１とファンケーシング２２とを４カ所でねじ止めすることで、ボディ２１とファンケーシング２２とを確実に固定できる。上記の係止め部２２ａ及び孔部２１ａによる係止め構造は、一側面に設けるだけでボディ２１とファンケーシング２２との位置決めする効果が得られる。係止め部２２ａ及び孔部２１ａによる係止め構造を一側面に設けることにより、ボディ２１とファンケーシング２２との隙間を小さくすることが可能となり、装置の小型化を図れる。なお、ボディ２１に備える孔部２１ａを係止め部２２ａで全て塞ぐ構造となるため天井裏などへ空気が漏れることがない。
【００１９】
ファンケーシング２２をボディ２１に開口面側から挿入し、ねじなども全て組み付けた上でファンケーシング２２に備え付けの化粧グリル本体取付用ばね固定部２６に化粧グリル３１を、本体取付用ばね３２で取り付けた場合、図５に示すように係止め部２２ａはボディ２１外側へ押し込まれる力となるため、爪２２ｂがボディ２１によって引っかかって開口側へ抜け落ちることはなく安全である。
【００２０】
このように、本実施の形態にかかる換気扇は、ねじを用いることなくファンケーシングとボディとを位置決めして仮固定できる。したがって、ファンケーシングとボディとの固定のためのねじ数を削減でき、組立コストを低減できる。さらに、モータ１６の交換などのメンテナンス時にファンケーシング２２を取り外す際に、ねじを外してもファンケーシング２２は落下しないため、取り外し作業を安全に行うことができる。
【００２１】
上記の説明では、ダクト換気扇を例としたが、本発明はその他の送風機や空気調和機に対しても適用可能である。
【符号の説明】
【００２２】
１１  吸込口
１２  吐出口
１３  ダクト
１５  多翼式送風機
１６  モータ
１７  ファン
２１  ボディ
２１ａ  孔部
２１ｂ  排気口
２２  ファンケーシング
２２ａ  係止め部
２２ｂ  爪
２２ｃ  傾斜部
２３  ダクト接続枠
２４  シャッター
２６  化粧グリル本体取付用ばね部
３１  化粧グリル
３２  本体取付用ばね
１００  換気扇
【図１】
0005606386.tif 000002
【図２】
0005606386.tif 000003
【図３】
0005606386.tif 000004
【図４】
0005606386.tif 000005
【図５】
0005606386.tif 000006
【図６】
0005606386.tif 000007